(57)【要約】【課題】比較的小型の仏壇であっても、筐体の内面に鏡面効果を持たせることで内部に広がりを持たせると共に、低コストな仏壇を提供すること。また、ローソクや線香の転倒等による火災の発生を防止し、さらには、鏡面効果によって内部の装飾品を多方面に映し出して装飾品や仏具を少なくして、全体としてコストを安価にすること。【解決手段】仏壇１の筐体２の内面の全体にわたって鏡面効果を有する鏡面部１０を形成する。これにより、左右上下の鏡面部１０の鏡面効果により仏具や装飾品が互いに立体的に映し出されて仏壇１という閉じられた空間内で広がりを持たせることができる。また、鏡面部１０の鏡面効果により仏壇１内の装飾品１１が虚像１１ａとして多方面に映し出されるので、装飾品１１を少なくとができ、低価格でより豊かな表現を可能とすることができる。【選択図】        図３
2004160056.tif 000002
【特許請求の範囲】
【請求項１】
仏壇（１）の筐体（２）の内面のうち少なくとも１面に鏡面効果を有する鏡面部（１０）を形成していることを特徴とする仏壇。
【請求項２】
仏壇（１）の筐体（２）の左右の側面に鏡面効果を有する鏡面部（１０）をそれぞれ形成していることを特徴とする仏壇。
【請求項３】
前記筐体（２）の上下の面にも鏡面効果を有する鏡面部（１０）をそれぞれ形成していることを特徴とする請求項２に記載の仏壇。
【請求項４】
前記仏壇（１）は、奥方に至るほど幅寸法を狭くしていることを特徴とする請求項１〜請求項３にいずれか記載の仏壇。
【請求項５】
前面を開口した箱状の筐体（２）と、この筐体（２）内に納装されて略コ字型で表面には鏡面効果を有する鏡面部（１０）をそれぞれ設けた三面体（１３）とからなることを特徴とする仏壇。
【請求項６】
前記筐体（２）の上下の面に鏡面効果を有する鏡面部（１０）をそれぞれ形成していることを特徴とする請求項５に記載の仏壇。
【請求項７】
前記三面体（１３）の各片は角度を自由に設定可能としていることを特徴とする請求項５または請求項６に記載の仏壇。
【請求項８】
前記鏡面部（１０）を、ガラス鏡、金属蒸着シート鏡、ステンレス鏡のいずれかで構成していることを特徴とする請求項１〜請求項７のいずれかに記載の仏壇。
【請求項９】
前記鏡面部（１０）には、金箔を全面または部分的に貼り付けていることを特徴とする請求項１〜請求項８にいずれか記載の仏壇。
【発明の詳細な説明】
【０００１】
【発明の属する技術分野】
本発明は、仏壇に関するものである。
【０００２】
【従来の技術】
図１０は仏壇５１の斜視図を示し、この仏壇５１の筐体５２は周知のように前面を開口した箱状に形成されている。筐体５２の前面の開口部には扉が開閉自在に設けられているが、図示では扉は省略している。
仏壇５１の筐体５２の材料は通常は種々の木材で構成されていて、内部には位牌、仏具、装飾品等が置かれる。また、筐体５２の表面や内面は木材の色や、黒、焦げ茶、茶色などの落ち着いた色に着色してあるのが一般的である。
【０００３】
また、仏壇５１の大きさも、所謂団地サイズのコンパクトな大きさから、比較的大きなものまで、種々なものがある。しかし、仏壇５１の大きさが大きくなるにつれて、値段も非常に高くなるのも良く知られている。
【０００４】
【発明が解決しようとする課題】
通常の大きさの仏壇５１の筐体５２を考えた場合、従来の仏壇５１の内部は筐体５２自体の大きさから限定された空間にあって、故人の過去、現在、未来を繋ぐ時空を超えた表現の場としては見た目に狭苦しくて広がりがなく、しかも、すっきりした印象がないという問題がある。
筐体５２の内部に広がりを持たそうとすると、必然的に大きな仏壇５１となり、非常に高価なものとなってしまう。
【０００５】
本発明は上述の問題点に鑑みて提供したものであって、少なくとも以下に示すような仏壇を提供することを目的とするものである。
▲１▼  比較的小型の仏壇であっても、筐体の内面に鏡面効果を持たせることで内部に広がりを持たせること。
▲２▼  筐体の内部に広がりを持たせる場合でも、低コストな仏壇を提供すること。
▲３▼  ローソクや線香の転倒等による火災の発生を防止すること。
▲４▼  鏡面効果によって内部の装飾品を多方面に映し出して装飾品や仏具を少なくして、全体としてコストを安価にすること。
【０００６】
【課題を解決するための手段】
そこで、本発明の請求項１記載の仏壇では、仏壇１の筐体２の内面のうち少なくとも１面に鏡面効果を有する鏡面部１０を形成していることを特徴としている。
かかる構成とすることで、鏡面部１０の鏡面効果により仏具や装飾品が映し出されて仏壇１という閉じられた空間内で広がりを持たせることができる。
【０００７】
請求項２記載の仏壇では、仏壇１の筐体２の左右の側面に鏡面効果を有する鏡面部１０をそれぞれ形成していることを特徴としている。
かかる構成とすることで、左右の鏡面部１０の鏡面効果により仏具や装飾品が互いに映し出されて仏壇１という閉じられた空間内で広がりを持たせることができる。
【０００８】
請求項３記載の仏壇では、前記筐体２の上下の面にも鏡面効果を有する鏡面部１０をそれぞれ形成していることを特徴としている。
これにより、左右上下の鏡面部１０の鏡面効果により仏具や装飾品が互いに立体的に映し出されて仏壇１という閉じられた空間内で広がりを持たせることができる。また、鏡面部１０の鏡面効果により仏壇１内の装飾品が多方面に映し出されるので、装飾品を少なくすることができ、低価格でより豊かな表現を可能とすることができる。
【０００９】
請求項４記載の仏壇では、前記仏壇１は、奥方に至るほど幅寸法を狭くしていることを特徴としている。
これにより、左右の鏡面部１０が複雑な鏡面効果を発揮することができる。
【００１０】
請求項５記載の仏壇では、前面を開口した箱状の筐体２と、この筐体２内に納装されて略コ字型で表面には鏡面効果を有する鏡面部１０をそれぞれ設けた三面体１３とからなることを特徴としている。
これにより、今までの仏壇に三面体１３を後付けができて、三面体１３の鏡面部１０の鏡面効果により、仏壇１内に広がりを持たせることができる。
【００１１】
請求項６記載の仏壇では、前記筐体２の上下の面に鏡面効果を有する鏡面部１０をそれぞれ形成していることを特徴としている。
これにより、左右上下の鏡面部１０の鏡面効果により仏具や装飾品が互いに立体的に映し出されて仏壇１という閉じられた空間内で広がりを持たせることができる。また、鏡面部１０の鏡面効果により仏壇１内の装飾品が多方面に映し出されるので、装飾品を少なくすることができ、低価格でより豊かな表現を可能とすることができる。
【００１２】
請求項７記載の仏壇では、前記三面体１３の各片は角度を自由に設定可能としていることを特徴としている。
これにより、三面体１３の角度を適宜変えることで、仏壇１内での複雑な広がりを持たせることができる。
【００１３】
請求項８記載の仏壇では、前記鏡面部１０を、ガラス鏡、金属蒸着シート鏡、ステンレス鏡のいずれかで構成していることを特徴としている。
これにより、例えば、ステンレス鏡を筐体２の底面に用いる場合には、該ステンレス鏡は耐火性や強度があるので、ローソクや線香の転倒等による火災発生の防止に役立つものである。
【００１４】
請求項９記載の仏壇では、前記鏡面部１０には、金箔を全面または部分的に貼り付けていることを特徴としている。
これにより、独特の反射効果を発揮することができる。
【００１５】
【発明の実施の形態】
以下、本発明の実施の形態を図面を参照して詳細に説明する。図１〜図３は第１の実施形態の仏壇１を示し、図１は右方から見た仏壇１の筐体２の斜視図を、図２は左方から見た筐体２の斜視図をそれぞれ示している。
図示する仏壇１の筐体２の材料はどのような物でも良いが、通常は木製としているが、本発明では、筐体２の材料自体を要旨とするのではなく、筐体２の内面に鏡面効果を持たせたことを要旨としている。
【００１６】
すなわち、前面の扉を除いた筐体２は、右側板３、左側板４、底板５、天板６及び後板７とで前面を開口した箱状に形成されており、筐体２の内面の全体にわたって鏡面効果を持たせるようにしている。
しかし、筐体２の内面全体ではなく、後板７は正面とって参る人の顔が映るために、この後板７の内面には鏡面効果を持たせないようにしても良い。
【００１７】
鏡面効果を持たせるための材料としては、ガラス鏡、金属蒸着シート鏡、ステンレス鏡を用いており、図ではこれらの材料により鏡面効果を持たせた場合の鏡面部１０としている。
筐体２の右側板３と左側板４の内面に鏡面部１０をそれぞれ形成することで、左右に広がりが生じ、また、天板６と底板５の内面に鏡面部１０をそれぞれ形成することで、上下に広がりが生じ、これにより、仏壇１という閉じられた空間内で左右上下といった立体的な空間の広がりが生じることになる。もちろん、後板７の内面（正面部分）にも鏡面部１０を形成した場合には、鏡面効果が相乗しあって一層立体的な広がりを生じさせることになる。
【００１８】
図３は装飾品１１を天板６から吊設した場合を示し、かかる装飾品１１は左右の側板３、４や底板５に虚像１１ａとして映し出されて、今までの仏壇では考えられなかった左右、上下、立体の広がりを表現することができる。
また、鏡面部１０による鏡面効果により、仏壇１の内部の装飾品１１が多方面に映し出されるので、装飾品１１を少なくすることができ、低価格で、より豊かな表現が可能となる。
【００１９】
ここで、上記鏡面部１０の構成材料をガラス鏡とした場合、ガラス製のために割れる恐れがあるので、透明タイプの飛散防止フィルムをガラス鏡の表面に装着するようにする。また、鏡面部１０を金属蒸着シート鏡とした場合には、耐火性がないので、右側板３と左側板４の内面のみ用いる。
また、鏡面部１０をステンレス鏡とした場合には、耐火性、強度があるので、筐体２の内面の全面に使用することができる。しかし、上記の他の２つに比べてコストが高く、重量が重いので、底板５、または左右の側板３、４の面に形成するので適している。特に、仏壇１ではローソクや線香を用いるので、該ローソクや線香の転倒等による火災発生の防止に役立つ。
【００２０】
なお、上記鏡面部１０を形成する場合に、上記のガラス鏡、金属蒸着シート鏡、ステンレス鏡の材料を複合的に組み合わせて構成しても良いのはもちろんである。
例えば、重量の重いステンレス鏡は底板５の上面に使用し、左右の側板３、４の内面は金属蒸着シート鏡を使用し、天板６の下面にはガラス鏡または金属蒸着シート鏡を用いる。かかる場合には、火災の発生の防止に役立ち、また、底板５に重量の重いステンレス鏡を用いていることで、仏壇１が、より安定する。
【００２１】
（第２の実施の形態）
図４〜図６に第２の実施形態を示し、図４は仏壇１の斜視図を示し、図５は仏壇１の正面図を、図６は仏壇１の平面図をそれぞれ示している。通常の仏壇は直方体であるが、図示するように奥に至るほど幅寸法を狭くしたものである。鏡面部１０が筐体２内で設けられる箇所や材料は先の実施形態と同様である。
【００２２】
本実施形態では、仏壇１の筐体２の幅寸法を奥に至るほど狭くしているので、鏡面部１０による左右、上下、立体的な広がりと共に、より複雑な映り込みを表現することができる。
【００２３】
（第３の実施の形態）
図７は第３の実施形態を示し、三面体１３にて筐体２内に鏡面部１０を形成するようにしたものである。本実施形態に仏壇１の筐体２は、図１に示す筐体２と同じであり、幅寸法は前後方向において同一のものであり、略コ字型とした三面鏡状の三面体１３をそのまま筐体２内に納装して、筐体２の内面に鏡面部１０を形成するようにしたものである。
上記三面体１３は、ガラス鏡自体やステンレス鏡自体で三面鏡状に形成しても良く、また、板材の面にガラス鏡、ステンレス鏡、金属蒸着シート鏡を接着して三面体１３を形成するようにしても良い。三面体１３の各片はそれぞれ折り畳み可能として角度を自由に設定できるようになっている。
【００２４】
この三面体１３を用いる場合、筐体２の天板６と底板５には、先の実施形態と同様にしてガラス鏡、金属蒸着シート鏡、ステンレス鏡のいずれかの材料を用いて鏡面部１０を形成する。
【００２５】
図８は他の例を示し、筐体２の形状は図７や図１の場合と同様であるが、三面体１３を広げて該三面体１３を筐体２内に納装した場合には、左右の鏡面部１０が前面側に拡開した状態として、図４の場合と同様の効果を得るようにしている。
また、図９は筐体２自体が図４の筐体２の場合と同様に奥方にいくほど幅寸法を狭くし、三面体１３も図８の場合と同様にしたものである。
【００２６】
上記の実施形態で、三面体１３を用いて筐体２内に鏡面部１０を形成する場合、左右の鏡面部１０の角度を自由に調整できる上に、従来の仏壇に後付けで鏡面部１０を形成することができる。
また、上記の各実施形態において、三面体１３の中央の片には鏡面部１０を形成せず、左右の片にのみ鏡面部１０を形成するようにしても良い。
【００２７】
また、上記各実施形態において、ガラス鏡、金属蒸着シート鏡、ステンレス鏡のいずれかで鏡面部１０を形成する場合に、その基材の鏡面効果を損なわないように、種々の宗教的シンボルをレーザー彫刻などによって鏡面に彫刻することで、より深い、個性的な表現をすることができる。
さらに、金箔を反射効果の最も強いガラス鏡、ステンレス鏡に全面、または部分的に貼り付けることにより、独特の反射効果を発揮させることができる。今まで、ガラス鏡、ステンレス鏡に金箔を貼り付けたものはなかった。
【００２８】
なお、上記各実施形態において、仏壇１の筐体２の内面に形成する鏡面部１０は、少なくとも１面のみ形成するようにしても良く、鏡面部１０の数は任意に形成して良いものである。
【００２９】
【発明の効果】
本発明の請求項１記載の仏壇によれば、仏壇の筐体の内面のうち少なくとも１面に鏡面効果を有する鏡面部を形成しているので、鏡面部の鏡面効果により仏具や装飾品が映し出されて仏壇という閉じられた空間内で広がりを持たせることができる。
【００３０】
請求項２記載の仏壇によれば、仏壇の筐体の左右の側面に鏡面効果を有する鏡面部をそれぞれ形成しているので、左右の鏡面部の鏡面効果により仏具や装飾品が互いに映し出されて仏壇という閉じられた空間内で広がりを持たせることができる。
【００３１】
請求項３記載の仏壇によれば、前記筐体の上下の面にも鏡面効果を有する鏡面部をそれぞれ形成しているので、左右上下の鏡面部の鏡面効果により仏具や装飾品が互いに立体的に映し出されて仏壇という閉じられた空間内で広がりを持たせることができる。また、鏡面部の鏡面効果により仏壇内の装飾品が多方面に映し出されるので、装飾品を少なくすることができ、低価格でより豊かな表現を可能とすることができる。
【００３２】
請求項４記載の仏壇によれば、前記仏壇は、奥方に至るほど幅寸法を狭くしているので、左右の鏡面部が複雑な鏡面効果を発揮することができる。
【００３３】
請求項５記載の仏壇によれば、前面を開口した箱状の筐体と、この筐体内に納装されて略コ字型で表面には鏡面効果を有する鏡面部をそれぞれ設けた三面体とで構成しているので、今までの仏壇に三面体を後付けができて、三面体の鏡面部の鏡面効果により、仏壇内に広がりを持たせることができる。
【００３４】
請求項６記載の仏壇によれば、前記筐体の上下の面に鏡面効果を有する鏡面部をそれぞれ形成しているので、左右上下の鏡面部の鏡面効果により仏具や装飾品が互いに立体的に映し出されて仏壇という閉じられた空間内で広がりを持たせることができる。また、鏡面部の鏡面効果により仏壇内の装飾品が多方面に映し出されるので、装飾品を少なくすることができ、低価格でより豊かな表現を可能とすることができる。
【００３５】
請求項７記載の仏壇によれば、前記三面体の各片は角度を自由に設定可能としていることので、三面体の角度を適宜変えることで、仏壇内での複雑な広がりを持たせることができる。
【００３６】
請求項８記載の仏壇によれば、前記鏡面部を、ガラス鏡、金属蒸着シート鏡、ステンレス鏡のいずれかで構成しているので、例えば、ステンレス鏡を筐体の底面に用いる場合には、該ステンレス鏡は耐火性や強度があるので、ローソクや線香の転倒等による火災発生の防止に役立つものである。
【００３７】
請求項９記載の仏壇によれば、前記鏡面部には、金箔を全面または部分的に貼り付けているので、独特の反射効果を発揮することができる。
【図面の簡単な説明】
【図１】本発明の第１の実施の形態における右方から見た仏壇の斜視図である。
【図２】本発明の第１の実施の形態における左方から見た仏壇の斜視図である。
【図３】本発明の第１の実施の形態における仏壇の斜視図である。
【図４】本発明の第２の実施の形態における仏壇の斜視図である。
【図５】本発明の第２の実施の形態における仏壇の正面図である。
【図６】本発明の第２の実施の形態における仏壇の平面図である。
【図７】本発明の第３の実施の形態における仏壇の分解斜視図である。
【図８】本発明第３の実施の形態における他の例の仏壇の分解斜視図である。
【図９】本発明第３の実施の形態における更に他の例の仏壇の分解斜視図である。
【図１０】従来例の仏壇の斜視図である。
【符号の説明】
１  仏壇
２  筐体
１０  鏡面部
１３  三面体
【図１】
2004160056.tif 000003
【図２】
2004160056.tif 000004
【図３】
2004160056.tif 000005
【図４】
2004160056.tif 000006
【図５】
2004160056.tif 000007
【図６】
2004160056.tif 000008
【図７】
2004160056.tif 000009
【図８】
2004160056.tif 000010
【図９】
2004160056.tif 000011
【図１０】
2004160056.tif 000012